(57)【要約】【課題】  記録された楽曲コンテンツの再生における品質を向上させる。【解決手段】  カーオーディオ装置は、放送信号を受信するチューナ部と、受信された放送信号から楽曲区間を抽出する楽曲コンテンツ抽出部２１と、抽出された楽曲区間の放送信号を記憶するＨＤＤ１０と、記憶された楽曲区間の放送信号を再生する再生部２５と、を備え、再生部２５は、楽曲区間の開始時または終了時に音量を制御する音量制御部２７を含む。このため、記録された楽曲区間の再生における品質を向上させることができる。【選択図】        図２
2010039122.tif 000002
【特許請求の範囲】
【請求項１】
放送信号を受信する受信手段と、
前記受信された放送信号から楽曲区間を抽出する抽出手段と、
前記抽出された楽曲区間の放送信号を記憶する記憶手段と、
前記記憶された楽曲区間の放送信号を再生する再生手段と、を備え、
前記再生手段は、前記楽曲区間の開始時または終了時に音量を制御する音量制御手段を含む、記録再生装置。
【請求項２】
前記音量制御手段は、前記楽曲区間の開始から音量を徐々に増加させるフェードイン処理および前記楽曲区間の終了より前から音量を徐々に減少させるフェードアウト処理を実行する、請求項１に記憶の記録再生装置。
【請求項３】
前記記憶された楽曲区間に対応して前記フェードイン処理の時間および前記フェードアウト処理の時間を設定する設定手段をさらに備えた、請求項２に記載の記録再生装置。
【請求項４】
前記楽曲区間が２チャンネルを含むステレオ楽曲の場合、前記楽曲区間の開始時または終了時に２チャンネルそれぞれの信号を、他方のチャンネルの信号の位相を反転した信号を加算して出力する出力手段をさらに備える、請求項１〜３のいずれかに記載の記録再生装置。
【請求項５】
放送信号を受信する受信手段と、
前記受信された放送信号から楽曲区間を抽出する抽出手段と、
前記抽出された楽曲区間の放送信号を記憶する記憶手段と、
前記記憶された楽曲区間の放送信号を再生する再生手段と、を備え、
前記再生手段は、前記記憶された楽曲区間の放送信号が２チャンネルを含むステレオ楽曲の場合、前記楽曲区間の開始時または終了時に２チャンネルそれぞれの信号を、他方のチャンネルの信号の位相を反転した信号を加算して出力する出力手段を含む、記録再生装置。
【請求項６】
前記記憶された楽曲区間の放送信号に対応して前記出力手段を能動化する時間を設定する能動化設定手段をさらに備えた、請求項４または５に記載の記録再生装置。
【発明の詳細な説明】
【技術分野】
【０００１】
この発明は記録再生装置に関し、特に放送信号に含まれる楽曲コンテンツを記録および再生する記録再生装置に関する。
【背景技術】
【０００２】
近年、ラジオ放送番組で放送される音声のうちから楽曲を自動的に判別する技術が知られている（例えば、特許文献１）。
【０００３】
しかし、ラジオ放送番組で放送される楽曲は、冒頭部分や終了部分にディスクジョッキーのトークが重なることが多く、記録された楽曲を再生する際に耳障りである。
【特許文献１】特開２００８−２７５７３号公報
【発明の開示】
【発明が解決しようとする課題】
【０００４】
この発明は上述した問題点を解決するためになされたもので、この発明の目的の一つは、記録された楽曲コンテンツの再生における品質を向上させた記録再生装置を提供することである。
【課題を解決するための手段】
【０００５】
上述した目的を達成するためにこの発明のある局面によれば、記録再生装置は、放送信号を受信する受信手段と、受信された放送信号から楽曲区間を抽出する抽出手段と、抽出された楽曲区間の放送信号を記憶する記憶手段と、記憶された楽曲区間を再生する再生手段と、を備え、再生手段は、楽曲区間の開始時または終了時に音量を制御する音量制御手段を含む。
【０００６】
この局面に従えば、記憶された楽曲区間の放送信号を再生する際に、楽曲区間の開始時または終了時に音量が制御される。このため、楽曲区間の開始時または終了時に記録された不要な音を小さくして再生することができる。その結果、記録された楽曲区間の再生における品質を向上させた記録再生装置を提供することができる。
【０００７】
好ましくは、音量制御手段は、楽曲区間の開始から音量を徐々に増加させるフェードイン処理および楽曲区間の終了より前から音量を徐々に減少させるフェードアウト処理を実行する。
【０００８】
この局面に従えば、楽曲区間の開始時または終了時の音量が徐々に変化するので、急激に音量が変化するのを防止することができる。
【０００９】
好ましくは、記憶された楽曲区間に対応してフェードイン処理の時間およびフェードアウト処理の時間を設定する設定手段をさらに備える。
【００１０】
この局面に従えば、楽曲区間に応じて音量を制御する時間を設定することができる。
【００１１】
好ましくは、楽曲区間が２チャンネルを含むステレオ楽曲の場合、楽曲区間の開始時または終了時に２チャンネルそれぞれの信号を、他方のチャンネルの信号の位相を反転した信号を加算して出力する出力手段をさらに備える。
【００１２】
この局面に従えば、楽曲区間の開始時または終了時に２チャンネルそれぞれの信号が、他方のチャンネルの信号の位相を反転した信号を加算して出力される。このため、２チャンネルに含まれる同じ信号が再生されないので、２チャンネルの双方に含まれる不要な音を再生しないようにすることができる。その結果、記録された楽曲区間の再生における品質を向上させた記録再生装置を提供することができる。
【００１３】
この発明の他の局面によれば、記録再生装置は、放送信号を受信する受信手段と、受信された放送信号から楽曲区間を抽出する抽出手段と、抽出された楽曲区間の放送信号を記憶する記憶手段と、記憶された楽曲区間の放送信号を再生する再生手段と、を備え、再生手段は、楽曲区間の放送信号が２チャンネルを含むステレオ楽曲の場合、楽曲区間の開始時または終了時に２チャンネルそれぞれの信号を、他方のチャンネルの信号の位相を反転した信号を加算して出力する変換手段を含む。
【００１４】
この局面に従えば、楽曲区間の開始時または終了時に２チャンネルそれぞれの信号が、他方のチャンネルの信号の位相を反転した信号が加算して出力される。このため、２チャンネルに含まれる同じ信号が再生されないので、２チャンネルの双方に含まれる不要な音を再生しないようにすることができる。その結果、記録された楽曲区間の再生における品質を向上させた記録再生装置を提供することができる。
【００１５】
好ましくは、記憶された楽曲区間に対応して変換手段を能動化する時間を設定する能動化設定手段をさらに備える。
【００１６】
この局面に従えば、楽曲区間に応じて２チャンネルの双方に含まれる不要な音を再生しないようにする時間を設定することができる。
【発明を実施するための最良の形態】
【００１７】
以下、本発明の実施の形態について図面を参照して説明する。以下の説明では同一の部品には同一の符号を付してある。それらの名称および機能も同じである。したがってそれらについての詳細な説明は繰返さない。
【００１８】
図１は、本実施の形態におけるカーステレオ装置の基本構成の一例を示す図である。図１を参照して、カーステレオ装置は、カーステレオ装置の全体を制御する中央演算装置（ＣＰＵ）７と、メモリ８と、放送電波を受信するチューナ部１と、アナログ信号をデジタル信号に変換するＡ／Ｄ変換器２と、デジタルの音声信号を圧縮するＤＳＰ（Ｄｉｇｉｔａｌ  Ｓｉｇｎａｌ  Ｐｒｏｃｅｓｓｏｒ）３と、デジタル信号をアナログ引導に変換するＤ／Ａ変換器４と、記録媒体９と、を含む。
【００１９】
チューナ部１は、ＣＰＵ７により制御され、テレビジョン放送またはラジオ放送等の放送電波を受信し、受信された放送電波から選局された放送局の電波を受信し、受信された放送電波を放送信号に復調する。チューナ部１は、復調された放送信号をＡ／Ｄ変換器２に出力する。なお、ここでは、放送電波を受信する場合を例に説明するが、有線で放送される放送信号を受信するようにしてもよい。
【００２０】
Ａ／Ｄ変換器２は、チューナ部１により入力される放送信号をディジタルの放送信号に変換し、放送信号をＤＳＰ３に出力する。
【００２１】
ＤＳＰ３は、ＣＰＵ７により制御され、ＣＰＵ７からの指示に従って、Ａ／Ｄ変換器２から入力されるディジタルの放送信号をデータ圧縮し、符号化データを生成する。ＤＳＰ３は、生成した符号化データを記録媒体９に記憶する。また、ＤＳＰ３は、ＣＰＵ７により制御され、ＣＰＵ７からの指示に従って記録媒体９に記憶された符号化データを読み出し、読み出した符号化データを復号し、音声データを生成する。ＤＳＰ３は、生成した音声データをＤ／Ａ変換機４に出力する。
【００２２】
Ｄ／Ａ変換器４は、ＤＳＰ３より入力されるデジタルの音声データをアナログの音声信号に変換する。そして、アナログに変換された音声信号を外部に出力する。Ｄ／Ａ変換機４が出力する音声信号は、ステレオ信号である。
【００２３】
メモリ８は、ＣＰＵ７が実行するプログラムを記憶するためのＲＯＭ（Ｒｅａｄ  Ｏｎｌｙ  Ｍｅｍｏｒｙ）と、ＣＰＵ７の作業領域として用いられるＲＡＭ（Ｒａｎｄｏｍ  Ａｃｃｅｓｓ  Ｍｅｍｏｒｙ）とを含む。
【００２４】
記録媒体９は、データを記録する。記録媒体としては、フレキシブルディスク、カセットテープ、光ディスク（ＣＤ−ＲＯＭ（Ｃｏｍｐａｃｔ  Ｄｉｓｃ−Ｒｅａｄ  Ｏｎｌｙ  Ｍｅｍｏｒｙ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  ＥＰＲＯＭ）などの半導体メモリ等である。
【００２５】
図２は、ＤＳＰおよびＣＰＵの機能の概要の一例を示す機能ブロック図である。図２を参照して、ＤＳＰ３は、放送信号から楽曲区間（楽曲コンテンツ）を抽出する楽曲コンテンツ抽出部２１と、抽出された楽曲コンテンツを記録媒体９に記憶する記録部２３と、記録媒体９に記憶された楽曲コンテンツを設定情報に従って再生する再生部２５と、を含み、ＣＰＵ７は、設定情報を記録媒体９に記憶する設定部２９を含む。
【００２６】
楽曲コンテンツ抽出部２１は、Ａ／Ｄ変換器２から入力される放送信号のうちから楽曲の含まれる区間を抽出する。放送信号のうちで楽曲の含まれる区間を楽曲区間といい、楽曲区間の放送信号を楽曲コンテンツという。放送信号から楽曲区間を抽出する技術は、例えば、音声信号レベルの変化量が所定値以上である時点をカット点として検出し、カット点近傍においてのみ音声信号の周波数領域における特徴量を算出し、算出された周波数特徴量に基づき、カット点の属性を判定し、属性とサンプリング点との間隔に基づき、曲区間の始点と終点とを検出する技術を用いることができる。楽曲コンテンツ抽出部２１は、抽出された楽曲区間の放送信号（楽曲コンテンツ）を、記録部２３に出力する。
【００２７】
記録部２３は、楽曲コンテンツ抽出部２１から入力される楽曲コンテンツを圧縮した符号化データ（楽曲コンテンツ）を、記録媒体９記録媒体９に記憶する。これにより、記録媒体９に圧縮符号化された楽曲コンテンツ３１が記憶される。
【００２８】
設定部２９は、ユーザにより入力される設定情報を受け付け、受け付けられた設定情報を記録媒体９に記憶する。これにより、設定情報３３が記録媒体９に記憶される。設定情報は、記録媒体９に記憶される楽曲コンテンツごとに記憶される。
【００２９】
図３は、設定情報の一例を示す図である。図３を参照して、設定情報３３は、楽曲コンテンツごとに、曲名、歌手名、フェードイン時間、フェードアウト時間、開始時ボーカルキャンセル時間および終了時ボーカルキャンセル時間の項目を含む。フェードイン時間は、楽曲コンテンツを再生する際に、楽曲コンテンツの開始から後述するフェードイン処理を実行する時間が設定される。フェードアウト時間は、楽曲コンテンツを再生する際に、楽曲コンテンツが終了する前の時間であって、フェードアウト処理を実行する時間が設定される。開始時ボーカルキャンセル時間は、楽曲コンテンツを再生する際に、楽曲コンテンツの開始から後述するボーカルキャンセル処理を実行する時間が設定される。終了時ボーカルキャンセル時間は、楽曲コンテンツを再生する際に、楽曲コンテンツが終了する前の時間であって、ボーカルキャンセル処理を実行する時間が設定される。
【００３０】
図２に戻って、再生部２５は、記録媒体９に記憶されている楽曲コンテンツ３１を、記録媒体９に記憶されている設定情報３３に従って再生する。具体的には、記録媒体９に記憶された楽曲コンテンツ３１を読み出し、楽曲コンテンツ３１を復号し、楽曲コンテンツの音声データを生成する。ＤＳＰ３は、生成した音声データを、Ｄ／Ａ変換器４に出力する。
【００３１】
また、再生部２５は、音量制御部２７と、変換部２８とを含む。音量制御部２７は、楽曲コンテンツ３１に対応する設定情報３３を記録媒体９から読出し、設定情報３３のフェードイン時間の項目およびフェードアウト時間の項目に設定されているフェードイン時間およびフェードアウト時間を取得する。そして、楽曲コンテンツの開始からフェードイン時間が経過するまでの間に音量を徐々に増加させる音声データに変換し、楽曲コンテンツの終了時点よりもフェードイン時間だけ前の時から終了するまでの間に音量を徐々に減少させる音声データに変換する。これにより、カーオーディオ装置から出力される楽曲コンテンツは、開始からフェードイン時間が経過するまでの間に音量が徐々に増加し、楽曲コンテンツの終了時点よりもフェードイン時間だけ前の時から終了するまでの間に音量が徐々に減少する。このため、楽曲コンテンツの最初および最後にディスクジョッキーのコメントが含まれる場合であっても、その間の音量が下がるので、ディスクジョッキーのコメントの音声を小さくすることができる。
【００３２】
変換部２８は、楽曲コンテンツ３１に対応する設定情報３３を記録媒体９から読出し、設定情報３３の開始時ボーカルキャンセル時間の項目および終了時ボーカルキャンセル時間の項目に設定されている開始時ボーカルキャンセル時間および終了時ボーカルキャンセル時間を取得する。そして、楽曲コンテンツの音声データに含まれる右チャンネル信号と左チャンネル信号それぞれを、開始時ボーカルキャンセル時間および終了時ボーカルキャンセル時間の間だけ他方のチャンネル信号の位相を反転した反転信号を加算した信号に変換する。具体的には、右チャンネル信号を反転した右反転信号を生成し、左チャンネル信号を反転した左反転信号を生成する。そして、開始時ボーカルキャンセル時間および終了時ボーカルキャンセル時間における左チャンネル信号を、それに生成した右反転信号を加算した信号に変換するとともに、右チャンネル信号を、それに生成した左反転信号を加算した信号に変換する。
【００３３】
ディスクジョッキーの音声は、右チャンネル信号と左チャンネル信号とで同じ信号としてそれぞれに含まれるので、他方のチャンネルの位相を反転した信号が加えられると、消去される。このため、楽曲コンテンツの開始時または終了時にディスクジョッキーの音声が含まれる場合であっても、そのディスクジョッキーの音声を消去することができる。
【００３４】
なお、ここでは、上述した機能をＤＳＰ３が有する例を示すが、上述した機能の一部または全部をＣＰＵ７が有するようにしてもよい。
【００３５】
図４は、記録処理の流れの一例を示すフローチャートである。記録処理は、ＣＰＵ７およびＤＳＰ３が記録再生プログラムを実行することにより、ＣＰＵ７およびＤＳＰ３により実行される処理である。図４を参照して、ＣＰＵ７は、チューナ部１を起動する（ステップＳ０１）。この際、ユーザにより選局された放送局の放送電波が受信される。そして、ＤＳＰ３が楽曲コンテンツを抽出を開始する（ステップＳ０２）。
【００３６】
次のステップＳ０３においては、ＤＳＰ３は、楽曲コンテンツの開始ポイントを検出したか否かを判断する。楽曲コンテンツの開始ポイントを検出するまで待機状態となり（ステップＳ０３でＮＯ）、楽曲コンテンツの開始ポイントを検出したならば（ステップＳ０３でＹＥＳ）、処理をステップＳ０４に進める。ステップＳ０４においては、エンコードを開始する。そして、楽曲コンテンツの終了ポイントを検出したか否かを判断する（ステップＳ０５）。楽曲コンテンツの終了ポイントを検出するまで待機状態となり（ステップＳ０５でＮＯ）、楽曲コンテンツの終了ポイントを検出したならば（ステップＳ０５でＹＥＳ）、処理をステップＳ０６に進める。このため、楽曲コンテンツの開始ポイントから終了ポイントまでの音声信号がエンコードされ、楽曲コンテンツ全体の符号化データが生成される。次のステップＳ０６においてはエンコードを終了し、処理をステップＳ０７に進める。ステップＳ０７においては、楽曲コンテンツの符号化データを記録媒体９に記憶する。これにより、記録媒体９に楽曲コンテンツ３１が記憶される。
【００３７】
図５は、再生処理の流れの一例を示すフローチャートである。再生処理は、ＤＳＰ３が記録再生プログラムを実行することにより、ＤＳＰ３により実行される処理である。図５を参照して、ＤＳＰ３は、記録媒体９から再生の対象となる楽曲コンテンツに対応する設定情報３３を読み出す（ステップＳ１１）。再生の対象となる楽曲コンテンツを、ユーザによる操作に基づいて特定する。
【００３８】
ステップＳ１２においては、デコードを開始する。再生の対象となる楽曲コンテンツの符号化データを復号する。そして、再生を開始してからの経過時間（以下「再生時間」という）が設定情報３３のフェードイン時間の項目に設定されているフェードイン時間に含まれるか否かを判断する（ステップＳ１３）。再生時間がフェードイン時間に含まれるならば処理をステップＳ１４に進めるが、そうでなければステップＳ１４をスキップして処理をステップＳ１５に進める。ステップＳ１４においては、フェードイン処理を実行する。
【００３９】
次のステップＳ１５においては、再生時間が設定情報３３の開始時ボーカルキャンセル時間の項目に設定されている開始時ボーカルキャンセル時間に含まれるか否かを判断する。再生時間が開始時ボーカルキャンセル時間に含まれるならば処理をステップＳ１６に進めるが、そうでなければステップＳ１６をスキップして処理をステップＳ１７に進める。
【００４０】
ステップＳ１６においては、ボーカルキャンセル処理を実行する。具体的には、右チャンネル信号と左チャンネル信号それぞれについて、他方のチャンネルの信号を位相を反転した反転信号を加算した信号に変換する。
【００４１】
次のステップＳ１７においては、再生時間が設定情報３３のフェードアウト時間の項目に設定されているフェードアウト時間に含まれるか否かを判断する。再生時間がフェードアウト時間に含まれるならば処理をステップＳ１８に進めるが、そうでなければステップＳ１８をスキップして処理をステップＳ１９に進める。ステップＳ１８においては、フェードアウト処理を実行する。
【００４２】
次のステップＳ１９においては、再生時間が設定情報３３の終了時ボーカルキャンセル時間の項目に設定されている終了時ボーカルキャンセル時間に含まれるか否かを判断する。再生時間が終了時ボーカルキャンセル時間に含まれるならば処理をステップＳ２０に進めるが、そうでなければステップＳ２０をスキップして処理をステップＳ２１に進める。ステップＳ２０においては、ステップＳ１６と同様に、ボーカルキャンセル処理を実行する。
【００４３】
ステップＳ２１においては、再生終了指示を受け付けたか否かを判断する。ユーザにより再生を終了させる指示が入力されたならば処理をステップＳ２２に進めるが、そうでなければ処理をステップＳ１３に戻す。ステップＳ２２においては、デコードを終了し、処理を終了する。
【００４４】
以上説明したように本実施の形態におけるカーステレオ装置は、記憶された楽曲コンテンツを再生する際に、楽曲コンテンツの開始時の音量をフェードイン処理または終了時の音量をフェードアウト処理して再生する。このため、楽曲コンテンツの開始時または終了時に記録されたディスクジョッキーのコメント等の不要な音を小さくして再生することができる。また、音量を徐々に変化させるので、急激に音量が変化するのを防止することができる。
【００４５】
さらに、フェードイン処理の時間およびフェードアウト処理の時間を楽曲コンテンツごとに設定することができるので、楽曲コンテンツに合わせてフェードイン処理またはフェードアウト処理をすることができる。例えば、ディクスジョッキーのコメントが記録されていない場合には、フェードイン処理またはフェードアウト処理をしないようにすることができる。
【００４６】
また、楽曲コンテンツが２チャンネルを含むステレオ楽曲の場合、楽曲コンテンツの開始時または終了時に２チャンネルそれぞれの信号を、他方のチャンネルの信号を位相を反転した反転信号を加算した信号に変換する。ディスクジョッキーのコメント等の音声は、２チャンネルそれぞれに同じ信号として含まれることが多い。このため、ディスクジョッキーのコメント等の音声を再生しないようにすることができる。
【００４７】
さらに、２チャンネルの信号を変換する時間を楽曲コンテンツごとに設定することができるので、楽曲コンテンツに合わせて変換することができる。例えば、ディクスジョッキーのコメントが記録されていない場合には、変換しないようにすることができる。
【００４８】
なお、上述した実施の形態においては、記録再生装置の一例としてカーステレオ装置を例に説明したが、図４または図５に示した処理を実行するための記録再生方法、または、記録再生方法をコンピュータに実行させるための記録再生プログラムとして発明を捉えることができるのは言うまでもない。
【００４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５０】
【図１】本実施の形態におけるカーステレオ装置の基本構成の一例を示す図である。
【図２】ＤＳＰおよびＣＰＵの機能の概要の一例を示す機能ブロック図である。
【図３】設定情報の一例を示す図である。
【図４】記録処理の流れの一例を示すフローチャートである。
【図５】再生処理の流れの一例を示すフローチャートである。
【符号の説明】
【００５１】
１  チューナ部、２  変換器、３  ＤＳＰ、４  Ｄ／Ａ変換器、７  ＣＰＵ、８  メモリ、９  記録媒体、２１  楽曲コンテンツ抽出部、２３  記録部、２５  再生部、２７  音量制御部、２８  変換部、２９  設定部、３１  楽曲コンテンツ、３３  設定情報。
【図１】
2010039122.tif 000003
【図２】
2010039122.tif 000004
【図３】
2010039122.tif 000005
【図４】
2010039122.tif 000006
【図５】
2010039122.tif 000007